(57)【特許請求の範囲】
【請求項１】
略円筒形状でなり装着時に耳殻の前方に植立された状態で位置するハンガーをそれぞれ有し、当該ハンガーから耳殻方向へ突出する当該ハンガーと一体化されたアーム部の先端に取り付けられた左側ヘッドホンユニット及び右側ヘッドホンユニットからなる１対のヘッドホンユニットと、
上記ハンガーの上端に対して取り付けられ、耳殻上方の形状に沿ってカーブ状に湾曲された耳掛け部を有し、当該耳掛け部と一体となって後頭部を通過するように配されたバンド部と、
上記左側ヘッドホンユニット又は上記右側ヘッドホンユニットのハンガーの上端から伸びるヘッドホンコードと、
略円筒形状の弾性体でなり、上記ヘッドホンコードと上記バンド部とを包み込んだ状態で、上記ヘッドホンコードを上記バンド部に沿わせながら当該ヘッドホンコードと当該バンド部とを一体化させるため、上記バンド部に沿ってスライド自在に移動することにより、上記バンド部と上記ヘッドホンコードとの分岐点を後頭部側に移動させることが可能なヘッドホンコード取付部と
を具え、
上記バンド部は、
その内部に、上記耳掛け部及び後頭部に沿った形状のワイヤーが挿通されており、装着時に、耳掛け部が耳殻の上部に引っ掛けられると共に、その余の部分が後頭部に沿って這った状態で保持され、
さらに上記バンド部は、当該バンド部と上記ヘッドホンコードとを一体化させるための溝が設けられ、
上記ヘッドホンコード取付部は、
上記バンド部に沿ってスライド自在に移動した際、上記ヘッドホンコードを上記バンド部の上記溝にはめ込ませることにより当該ヘッドホンコードの表面が僅かに突出した状態で一体化させると共に、当該ヘッドホンコード取付部を境目としてヘッドホンコード取付部以降は上記ヘッドホンコードと上記バンド部とを分岐させた状態とする
ヘッドホン装置。
【発明の詳細な説明】
【技術分野】
【０００１】
本発明は、ヘッドホン装置に関し、例えば携帯型音楽プレーヤに接続して用いられるヘッドホン装置に適用して好適なものである。
【背景技術】
【０００２】
近年、若者を中心とした個性化の時代が進むに連れ、いつでもどこでも音楽を聴きたいという要求は更に強くなっている。そうしたなかでバンドがユーザの後頭部を通る装着方式のステレオヘッドホンがヘアスタイルやファッションを気にする人々にも広く受け入れられつつある（例えば、特許文献１及び特許文献２参照）。
【０００３】
例えば図１に示すように、従来のバンドが後頭部を通る装着方式のステレオヘッドホン（以下、これをバンド後頭部通過型ステレオヘッドホンと呼ぶ。）１では、図２（Ａ）及び（Ｂ）に示すように、ヘッドホンコード２が左側ヘッドホンユニット３のハウジング４から出ていることが一般的であった。
【０００４】
なぜならバンド後頭部通過型ステレオヘッドホン１では、利き手が右であることが一般的とされるなかで、左側ヘッドホンユニット３のハウジング４からヘッドホンコード２が出ている方が邪魔になり難いという配慮に基づいて設計されているからである。
【特許文献１】特開2006-109511公報
【特許文献２】特開平11-298982号公報
【発明の開示】
【発明が解決しようとする課題】
【０００５】
ところでかかる構成のバンド後頭部通過型ステレオヘッドホン１においては、ユーザがジョギング等のスポーツ時に音楽を聴く等、多様化・長時間化するリスニング環境で用いられる場合、左側ヘッドホンユニット３のハウジング４からヘッドホンコード２が出ていることが邪魔になる場合もあり、必ずしも使い勝手に優れている訳ではないという問題があった。
【０００６】
本発明は以上の点を考慮してなされたもので、装着時にヘッドホンコードが邪魔にならず、装着感の優れた使い勝手の良いヘッドホン装置を提案しようとするものである。
【課題を解決するための手段】
【０００７】
かかる課題を解決するため本発明においては、略円筒形状でなり装着時に耳殻の前方に植立された状態で位置するハンガーをそれぞれ有し、当該ハンガーから耳殻方向へ突出する当該ハンガーと一体化されたアーム部の先端に取り付けられた左側ヘッドホンユニット及び右側ヘッドホンユニットからなる１対のヘッドホンユニットと、ハンガーの上端に対して取り付けられ、耳殻上方の形状に沿ってカーブ状に湾曲された耳掛け部を有し、当該耳掛け部と一体となって後頭部を通過するように配されたバンド部と、左側ヘッドホンユニット又は右側ヘッドホンユニットのハンガーの上端から伸びるヘッドホンコードと、略円筒形状の弾性体でなり、ヘッドホンコードとバンド部とを包み込んだ状態で、ヘッドホンコードをバンド部に沿わせながら当該ヘッドホンコードと当該バンド部とを一体化させるため、バンド部に沿ってスライド自在に移動することにより、バンド部とヘッドホンコードとの分岐点を後頭部側に移動させることが可能なヘッドホンコード取付部とを具え、バンド部は、その内部に、耳掛け部及び後頭部に沿った形状のワイヤーが挿通されており、装着時に、耳掛け部が耳殻の上部に引っ掛けられると共に、その余の部分が後頭部に沿って這った状態で保持され、さらにバンド部は、当該バンド部とヘッドホンコードとを一体化させるための溝が設けられ、ヘッドホンコード取付部は、バンド部に沿ってスライド自在に移動した際、ヘッドホンコードをバンド部の溝にはめ込ませることにより当該ヘッドホンコードの表面が僅かに突出した状態で一体化させると共に、当該ヘッドホンコード取付部を境目としてヘッドホンコード取付部以降はヘッドホンコードとバンド部とを分岐させた状態とするようにする。
【０００８】
これにより、装着時に耳殻の前方に植立された状態で位置するハンガーの上端から耳殻上方の形状に沿ってカーブ状に湾曲された耳掛け部が耳殻の上方に引っ掛けられて保持されると共に、当該耳掛け部と一体となって後頭部を通過するように配されたバンド部が当該後頭部を沿って這った状態で、かつ内部のワイヤーによりバンド部の形状が維持された状態で保持され、ヘッドホンコード取付部をバンド部に沿ってスライド自在に移動することにより、ヘッドホンコードとバンド部とを包み込んだ状態で、ヘッドホンコードをバンド部に沿わせる際、ヘッドホンコードをバンド部の溝にはめ込ませながら当該ヘッドホンコードの表面が僅かに突出した状態で一体化させることが出来ると共に、当該ヘッドホンコード取付部を境目としてヘッドホンコード取付部以降はヘッドホンコードとバンド部とを分岐させた状態として、バンド部とヘッドホンコードとを任意の分岐点で分岐させることが出来るので、バンド部からヘッドホンコードが出る位置をユーザに対して自在に調整させ、装着時のユーザにとって、ヘッドホンコードが邪魔になることを解消することができる。
【発明の効果】
【０００９】
本発明によれば、装着時に耳殻の前方に植立された状態で位置するハンガーの上端から耳殻上方の形状に沿ってカーブ状に湾曲された耳掛け部が耳殻の上方に引っ掛けられて保持されると共に、当該耳掛け部と一体となって後頭部を通過するように配されたバンド部が当該後頭部を沿って這った状態で、かつ内部のワイヤーによりバンド部の形状が維持された状態で保持され、ヘッドホンコード取付部をバンド部に沿ってスライド自在に移動することにより、ヘッドホンコードとバンド部とを包み込んだ状態で、ヘッドホンコードをバンド部に沿わせる際、ヘッドホンコードをバンド部の溝にはめ込ませながら当該ヘッドホンコードの表面が僅かに突出した状態で一体化させることが出来ると共に、当該ヘッドホンコード取付部を境目としてヘッドホンコード取付部以降はヘッドホンコードとバンド部とを分岐させた状態として、バンド部とヘッドホンコードとを任意の分岐点で分岐させることが出来るので、バンド部からヘッドホンコードが出る位置をユーザに対して自在に調整させ、装着時のユーザにとって、ヘッドホンコードが邪魔になることを解消することができ、かくして装着時にヘッドホンコードが邪魔にならず、装着感の優れた使い勝手の良いヘッドホン装置を実現することができる。
【発明を実施するための最良の形態】
【００１０】
以下、図面について、本発明の一実施の形態を詳述する。
【００１１】
（１）本発明におけるバンド後頭部通過型ステレオヘッドホンの全体構成
図３において、１０は全体として本発明におけるバンド後頭部通過型ステレオヘッドホンを示し、主に左側のみを開示し、右側については省略する。
【００１２】
このバンド後頭部通過型ステレオヘッドホン１０は、左側ヘッドホンユニット１１と、当該左側ヘッドホンユニット１１に取り付けられたヘッドバンド１５とによって構成されている。
【００１３】
左側ヘッドホンユニット１１は、略円筒形状でなるハンガー１２を有し、当該ハンガー１２に対し、ユーザの耳殻（図示せず）に引っ掛けられると共に後頭部に沿って這わされるように湾曲されたヘッドバンド１５が取り付けられている。
【００１４】
このハンガー１２は、その下方所定位置に当該ハンガー１２から耳殻方向へ突出した所定長さのアーム部１２Ａが一体化された状態で設けられており、バンド後頭部通過型ステレオヘッドホン１０の装着時、耳殻の前方に当該ハンガー１２が植立されたような状態で位置するようになされている。
【００１５】
またハンガー１２は、そのアーム部１２Ａの先端にハウジング１３が取り付けられ、そのハウジング１３にドライバーユニット（図示せず）が内蔵された状態で、外耳道に挿入される部分のイヤーピース１４が取り付けられている。
【００１６】
このときハンガー１２は、当該ハンガー１２の上端に対して、耳殻上方の形状に沿った緩やかなカーブ状に湾曲されたヘッドバンド１５の耳掛け部１５Ａが取り付けられている。
【００１７】
因みにハンガー１２は、それ自体がユーザの耳殻に引っ掛けられるものではなく、イヤーピース１４がユーザの外耳道に挿入された状態で、ヘッドバンド１５の耳掛け部１５Ａを保持するようになされている。
【００１８】
ヘッドバンド１５は、略円弧状でなる耳掛け部１５Ａが耳殻に引っ掛けられると共に、その余の部分が後頭部に沿って這った状態で保持されるようになされているが、耳掛け部１５Ａの形状及びユーザの後頭部に沿った形状に湾曲されたワイヤー（図示せず）がその内部に挿通されており、装着時、当該ヘッドバンド１５の形状が容易に変形することがないように考慮されている。
【００１９】
なおヘッドバンド１５は、その外表面に例えばポリプロピレン（ＰＰ）や、ポリブチレンテレフタレート（ＰＢＰ）等の合成樹脂からなる弾性体が材料として用いられるようになされている。
【００２０】
またバンド後頭部通過型ステレオヘッドホン１０は、ハウジング１３内のドライバーユニットと接続されたヘッドホンコード１６がヘッドバンド１５と並行するようにハンガー１２から外部へ出されている。
【００２１】
このバンド後頭部通過型ステレオヘッドホン１０では、ヘッドバンド１５とヘッドホンコード１６とを一体化した状態にまとめるための円環状でなる取付スライダ１７がヘッドバンド１５上をスライド自在に移動し得るようになされている。
【００２２】
この取付スライダ１７は、ヘッドバンドとほぼ同じ直径又はそれよりも僅かに小さい直径を有しているが、その材料として、ポリプロピレン（ＰＰ）や、ポリブチレンテレフタレート（ＰＢＰ）等の合成樹脂からなる弾性体が用いられているため、ヘッドバンド１５とヘッドホンコード１６とを一体化した状態で緩やかに締め付けるようになされている。
【００２３】
ここで、図４に示すように、ヘッドバンド１５には、ヘッドホンコード１６とほぼ同じ直径を有するアンダーカットされた溝１５Ｂが形成されており、取付スライダ１７がヘッドホンコード１６上をスライドしたとき、ヘッドホンコード１６を溝１５Ｂに嵌め込んでいくようになされている。
【００２４】
ヘッドホンコード１６はヘッドバンド１５の溝１５Ｂに嵌め込まれたとき、当該ヘッドホンコード１６の表面が僅かに突出するだけであり、ほぼヘッドバンド１５に埋め込まれるようになる。
【００２５】
このため、ヘッドホンコード１６とヘッドバンド１５とが一体化すると共に、ヘッドホンコード１６がヘッドバンド１５に埋没し、見た目にはヘッドバンド１５だけが存在しているかのようになる。
【００２６】
これによりバンド後頭部通過型ステレオヘッドホン１０は、図３に示したように、ハンガー１２から取付スライダ１７までの範囲では、ヘッドバンド１５とヘッドホンコード１６とが一体化された状態にあり、その取付スライダ１７を境目として当該取付スライダ１７以降はヘッドバンド１５とヘッドホンコード１６とが分岐された状態になる。
【００２７】
つまりバンド後頭部通過型ステレオヘッドホン１０では、図３の実線及び破線に示したように、取付スライダ１７の位置をユーザが任意に動かすことにより、ヘッドバンド１５とヘッドホンコード１６との分岐点を自在に調整し得るようになされている。
【００２８】
（２）ハンガーの構造
図５に示すように、ハンガー１２は、略Ｔ字状の筐体１２Ｂに対して僅かに小さな同様の略Ｔ字状の蓋体１２Ｃが爪部を介して嵌め込まれることにより、アーム部１２Ａと一体化された構成を有するようになされている。
【００２９】
ハンガー１２は、筐体１２Ｂの下方端部１２ＢＡに対し、オレンジ色でなる化粧リング２１を介してエンドキャップ２２が取り付けられている。
【００３０】
またハンガー１２は、アーム部１２Ａの先端にハウジング１３がネジ２７を介して取り付けられ、そのハウジング１３にドライバーユニット２３が内蔵されると共に、当該ドライバーユニット２３にレジスター２４、フロントハウジング２５、周波数特性を調整するためのイコライザー２６を介してイヤーピース１４が取り付けられている。
【００３１】
更にハンガー１２は、アーム部１２Ａの先端に、ハウジング１３とは逆向きに化粧キャップ２８が嵌め込み式によって取り付けられており、これにより外見からの見栄えを良くするようになされている。
【００３２】
ところでハンガー１２は、筐体１２Ｂの上方端部１２ＢＢの貫通孔を介してヘッドバンド１５及びヘッドホンコード１６が挿通され、ヘッドバンド１５に内挿されているワイヤー１５Ｃが筐体１２Ｂの係合部１２Ｄと係合されることにより当該ヘッドバンド１５が筐体１２Ｂに対して取り付けられる。
【００３３】
なお、このワイヤー１５Ｃは上述したように、耳掛け部１５Ａの形状及びユーザの後頭部に沿った形状に湾曲された状態でヘッドバンド１５の内部に挿通されたものであり、装着時、略円弧状でなる耳掛け部１５Ａが耳殻に対して自然に引っ掛けられると共に、その余の部分が後頭部に沿って這った状態で、当該ヘッドバンド１５の形状が容易に変形することがないようになされている。
【００３４】
このときヘッドホンコード１６における左チャンネル用の芯線Ｌ及びグランド線Ｇが筐体１２Ｂ及びアーム部１２Ａを通ってドライバーユニット２３に接続される。
【００３５】
またヘッドホンコード１６における右チャンネル用の芯線Ｒ及びグランド線Ｇについては、筐体１２Ｂの内部で折り返され、右チャンネル用のドライバーユニット（図示せず）と接続するための渡り線１８における右チャンネル用の芯線ｒ及びグランド線ｇと接続される。
【００３６】
すなわちヘッドホンコード１６は、その内部に右チャンネル用の芯線ｒ及びグランド線ｇからなる渡り線１８が挿通されているので、取付スライダ１７によってヘッドバンド１５とヘッドホンコード１６との分岐点が何れの場所になっても、ヘッドホンコード１６を介して供給される右チャンネル用のオーディオ信号を、渡り線１８により右チャンネル用のドライバーユニット（図示せず）へ確実に供給し得るようになされている。
【００３７】
（３）動作及び効果
以上の構成において、バンド後頭部通過型ステレオヘッドホン１０は、左側ヘッドホンユニット１１のハウジング１３からヘッドホンコード１６が出ている構造ではなく、ハンガー１２における筐体１２Ｂの上方端部１２ＢＢからヘッドバンド１５と一緒に上方へ向かって出ている構造を採用したことにより、そもそもヘッドホンコード１６がユーザの頬に当たる等の煩わしさを感じさせることがない。
【００３８】
またバンド後頭部通過型ステレオヘッドホン１０は、ヘッドバンド１５とヘッドホンコード１６とがそれぞれ独立しているものの、両者が並んだ状態で取付スライダ１７により一体化させられると共に、当該取付スライダ１７の位置を分岐点としてヘッドバンド１５とヘッドホンコード１６とが分岐することになる。
【００３９】
従ってバンド後頭部通過型ステレオヘッドホン１０では、取付スライダ１７の位置からあたかもヘッドホンコード１６が出ているような構成を取ることができ、かつ取付スライダ１７を動かすことによりその分岐点を自在に変更することができる。
【００４０】
これによりバンド後頭部通過型ステレオヘッドホン１０は、ユーザのリスニング環境やリスニング状況に合わせてヘッドホンコード１６が邪魔にならないように、取付スライダ１７によりヘッドバンド１５からヘッドホンコード１６が出る位置を自在に調整することができる。
【００４１】
特にバンド後頭部通過型ステレオヘッドホン１０は、取付スライダ１７を後頭部側まで動かすことにより、耳殻の後ろからだけではなく、完全に後頭部の真後ろからヘッドホンコード１６を出すこともできるので、当該ヘッドホンコード１６をユーザの意識から消去させることもできる。
【００４２】
さらにバンド後頭部通過型ステレオヘッドホン１０は、弾性力を有するヘッドバンド１５の内部に、予め耳掛け部１５Ａの形状及びユーザの後頭部に沿った形状に湾曲されたワイヤー１５Ｃが挿通されているため、自然に耳掛け部１５Ａが耳殻に引っ掛けられると共に、その余の部分が後頭部に沿って這った装着状態を保持し得、金属製のヘッドバンドに比べて軽量感と共に良好かつ安定した装着感を提供することができる。
【００４３】
以上の構成によれば、バンド後頭部通過型ステレオヘッドホン１０は、ヘッドバンド１５とヘッドホンコード１６とが並んだ状態で取付スライダ１７により一体化させられると共に、当該取付スライダ１７の位置を移動させることにより、ヘッドバンド１５とヘッドホンコード１６との分岐点を任意に調整することができる。
【００４４】
これによりバンド後頭部通過型ステレオヘッドホン１０では、ユーザが所望する取付スライダ１７の位置からヘッドホンコード１６を出させることができるので、当該ヘッドホンコード１６がユーザにとって邪魔にならず、操作性及び装着感を大幅に向上することができる。
【００４５】
（４）他の実施の形態
なお上述の実施の形態においては、ヘッドバンド１５にヘッドホンコード１６を嵌め込ませるための溝１５Ｂを設けるようにした場合について述べたが、本発明はこれに限らず、必ずしも溝１５Ｂを設けなくてもよい。
【００４６】
また上述の実施の形態においては、左側ヘッドホンユニット１１に対してヘッドホンコード１６を接続するようにした場合について述べたが、本発明はこれに限らず、右側ヘッドホンユニットに対してヘッドホンコード１６を接続し、本実施の形態とは全く逆の構成とするようにしても良い。
【００４７】
さらに上述の実施の形態においては、後頭部を通過するヘッドバンド１５に対してヘッドホンコード１６を取付スライダ１７により一体化すると共に分岐点を自在に調整するようにした場合について述べたが、本発明はこれに限らず、ユーザの頭上を通過するヘッドバンドや、ユーザの顎の下を通過するヘッドバンドに対してヘッドホンコード１６を取付スライダ１７により一体化すると共に分岐点を自在に調整するようにしても良い。
【００４８】
さらに上述の実施の形態においては、ヘッドバンド１５の外表面に、ポリプロピレン（ＰＰ）や、ポリブチレンテレフタレート（ＰＢＰ）等の合成樹脂からなる弾性体を材料として用いるようにした場合について述べたが、本発明はこれに限らず、必ずしも合成樹脂からなる弾性体だけでなく、耐食性を有する金属材料や、金属製でありながら弾性力を有する材料によってヘッドバンド１５を形成するようにしても良い。
【００４９】
さらに上述の実施の形態においては、ヘッドバンド１５の内部にワイヤー１５Ｃを挿通することにより、耳掛け部１５Ａの形状及びユーザの後頭部に沿った形状を維持し、装着時、略円弧状でなる耳掛け部１５Ａが耳殻に対して自然に引っ掛けられると共に、その余の部分が後頭部に沿って這った状態で、当該ヘッドバンド１５の形状が容易に変形することがないようにした場合について述べたが、本発明はこれに限らず、ワイヤー１５Ｃを用いることなく、予め耳掛け部１５Ａの形状及びユーザの後頭部に沿った形状に折り曲げられた樹脂によってヘッドバンド１５を形成するようにしても良い。
【００５０】
さらに上述の実施の形態においては、ヘッドホンユニットとしての左側ヘッドホンユニット１１と、バンド部としてのヘッドバンド１５と、ヘッドホンコードとしてのヘッドホンコード１６と、ヘッドホンコード取付部としての取付スライダ１７とによって本発明のヘッドホン装置を構成するようにした場合について述べたが、本発明はこれに限らず、その他種々の構造でなるヘッドホンユニット、バンド部、ヘッドホンコード及びヘッドホンコード取付部により本発明のヘッドホン装置を構成するようにしても良い。
【産業上の利用可能性】
【００５１】
本発明のヘッドホン装置は、携帯型音楽プレーヤに接続して用いられる他、例えば携帯電話機やＰＤＡ(Personal  Digital  Assistant)、ノートブック型パーソナルコンピュータ等のその他種々の電子機器に接続して用いられるヘッドホン装置に適用することができる。
【図面の簡単な説明】
【００５２】
【図１】従来のバンド後頭部通過型ステレオヘッドホン（１）の構成を示す上面図である。
【図２】従来のバンド後頭部通過型ステレオヘッドホン（２）の構成を示す正面図及び左側面図である。
【図３】本発明のバンド後頭部通過型ステレオヘッドホンの構成を示す略線的斜視図である。
【図４】ヘッドホンコードがヘッドバンドの溝に嵌め込まれる様子を示す略線図である。
【図５】ハンガーの構造を示す略線的斜視図である。
【符号の説明】
【００５３】
１、１０……バンド後頭部通過型ステレオヘッドホン、２、１６……ヘッドホンコード、３、１１……左側ヘッドホンユニット、４、１３……ハウジング、１２……ハンガー、１４……イヤーピース、１５……ヘッドバンド、１５Ａ……耳掛け部、１５Ｂ……溝、１５Ｃ……ワイヤー、１６……ヘッドホンコード、１７……取付スライダ、１８……渡り線、２３……ドライバーユニット。
【図１】
0004835550.tif 000002
【図２】
0004835550.tif 000003
【図３】
0004835550.tif 000004
【図４】
0004835550.tif 000005
【図５】
0004835550.tif 000006